(57)【要約】【課題】補強リブを有する被記録物の支持部材に対してペーパガイドを円滑に摺動させ得る被記録物案内手段を提供する。【解決手段】幅方向に延在する支持面２１４と、支持面２１４の裏面に形成された補強リブ２１６と、同裏面において幅方向に延在する被当接リブ２１８と、同裏面に被当接リブ２１８と平行に形成された補強リブ２１６よりも高く被当接リブ２１８よりも低い案内リブ２１９とを一体に形成された支持部材２１０と、支持部材２１０の後縁から前方に延在する前側把持部２４４と、被記録物に側方から当接する案内部２４２とを一体に備え幅方向に移動可能な摺動部材２４０と、支持部材２１０の後縁と一定の間隔を保ちつつ支持部材２１０の後方で幅方向に延在し、摺動部材２４０が搬送方向に移動することを制止する規制部材２２０と、摺動部材２４０を規制部材２２０に向かって付勢する付勢部材２６５とを備える。【選択図】図８
2006273572.tif 000002
【特許請求の範囲】
【請求項１】
被記録物の搬送方向と直交する幅方向に延在して前記被記録物を支持する支持面と、前記支持面の裏面に前記幅方向と交差する方向に沿う部分を含んで形成された補強リブと、前記裏面において前記幅方向に延在し平坦な立ち上がり面を有して前記補強リブよりも高い被当接リブと、前記裏面において前記搬送方向について前記支持面の一端と前記被当接リブとの間に前記被当接リブと平行に形成され、前記補強リブよりも僅かに高く前記被当接リブよりも低く且つ平坦な先端面を有する案内リブとを一体に形成された支持部材と、
前記支持部材の前記一端から前記支持部材の表面および裏面に沿って延在する把持部と、前記支持面の上で前記被記録物に側方から当接する案内部とを一体に備え、前記幅方向に移動可能な摺動部材と、
前記支持部材の前記一端と一定の間隔を保ちつつ前記幅方向に延在し、前記摺動部材が前記幅方向に移動することを許しつつ、前記搬送方向に移動することを制止する規制部材と、
前記摺動部材と共に前記幅方向に移動可能に装着され、且つ、前記支持部材の裏面において前記摺動部材の前記把持部と前記被当接リブとの間で伸張し、前記摺動部材を前記規制部材に向かって付勢する付勢部材と
を備え、
前記付勢部材の一端が、前記被当接リブの前記立ち上がり面および前記案内リブの前記先端面に接している被記録物案内装置。
【請求項２】
前記付勢部材が、
一端を前記被当接リブおよび前記案内リブに摺動可能に当接し、他端を前記摺動部材に連結され、前記幅方向については前記摺動部材と共に移動し、前記搬送方向については前記摺動部材に対して移動可能な案内部と、
前記支持面の前記裏面において、前記摺動部材から前記被当接リブに向かって前記案内部を押し付ける弾性部材と
を含む請求項１に記載の被記録物案内装置。
【請求項３】
被記録物の搬送方向と直交する幅方向に延在して前記被記録物を支持する支持面と、前記支持面の裏面に前記幅方向と交差する方向に沿う部分を含んで形成された補強リブと、前記裏面において前記幅方向に延在し平坦な立ち上がり面を有して前記補強リブよりも高い被当接リブと、前記裏面において前記搬送方向について前記支持面の一端と前記被当接リブとの間に前記被当接リブと平行に形成され、前記補強リブよりも僅かに高く前記被当接リブよりも低く且つ平坦な先端面を有する案内リブとを一体に形成された支持部材と、
前記支持部材の前記一端から前記支持部材の表面および裏面に沿って延在する把持部と、前記支持面の上で前記被記録物に側方から当接する案内部とを一体に備え、前記幅方向に移動可能な摺動部材と、
前記支持部材の前記一端と一定の間隔を保ちつつ前記幅方向に延在し、前記摺動部材が前記幅方向に移動することを許しつつ、前記搬送方向に移動することを制止する規制部材と、
前記摺動部材と共に前記幅方向に移動可能に装着され、且つ、前記支持部材の裏面において前記摺動部材の前記把持部と前記被当接リブとの間で伸張し、前記摺動部材を前記規制部材に向かって付勢する付勢部材と
を備え、
前記付勢部材の一端が、前記被当接リブの前記立ち上がり面および前記案内リブの前記先端面に接している被記録物案内装置と、
前記被記録物案内装置により案内された前記被記録物に対して液体を噴射する液体噴射ヘッドと
を備えた液体噴射装置。
【請求項４】
被記録物の搬送方向と直交する幅方向に延在して前記被記録物を支持する支持面と、前記支持面の裏面に前記幅方向と交差する方向に沿う部分を含んで形成された補強リブと、前記裏面において前記幅方向に延在し平坦な立ち上がり面を有して前記補強リブよりも高い被当接リブと、前記裏面において前記搬送方向について前記支持面の一端と前記被当接リブとの間に前記被当接リブと平行に形成され、前記補強リブよりも僅かに高く前記被当接リブよりも低く且つ平坦な先端面を有する案内リブとを一体に形成された支持部材と、
前記支持部材の前記一端から前記支持部材の表面および裏面に沿って延在する把持部と、前記支持面の上で前記被記録物に側方から当接する案内部とを一体に備え、前記幅方向に移動可能な摺動部材と、
前記支持部材の前記一端と一定の間隔を保ちつつ前記幅方向に延在し、前記摺動部材が前記幅方向に移動することを許しつつ、前記搬送方向に移動することを制止する規制部材と、
前記摺動部材と共に前記幅方向に移動可能に装着され、且つ、前記支持部材の裏面において前記摺動部材の前記把持部と前記被当接リブとの間で伸張し、前記摺動部材を前記規制部材に向かって付勢する付勢部材と
を備え、
前記付勢部材の一端が、前記被当接リブの前記立ち上がり面および前記案内リブの前記先端面に接している被記録物案内装置と、
前記被記録物案内装置により案内された前記被記録物に対してインクを噴射する記録ヘッドと
を備えた記録装置。
【発明の詳細な説明】
【技術分野】
【０００１】
本発明は被記録物案内装置およびそれを備えた液体噴射装置に関する。より詳細には、その向きを乱すことなく液体噴射装置等に被記録物を装入できるように被記録物を支持する被記録物案内装置と、この被記録物案内装置を備えた液体噴射装置および記録装置に関する。
【背景技術】
【０００２】
液体噴射装置には、円板状の光記録媒体、厚紙等の特殊な寸法、材料あるいは形状の非定型被記録物に対する記録動作に対応したものがある。この種の液体噴射装置では、定型の被記録物の供給手段とは別に、非定型被記録物被記録物を装入するための被記録物案内装置が設けられている。
【０００３】
ただし、非定型被記録物は定常的に取り扱われるわけではないので、そのためにだけ使用する被記録物案内装置は、使用しないときには液体噴射装置の筐体に格納できるような構造になっている場合が多い。これにより、液体噴射装置の外観を美麗に保てると共に、精密機械である液体噴射装置の内部に塵芥等が侵入することを低減できる。
【０００４】
また、非定型被記録物を取り扱う被記録物案内装置においては、種々の幅の被記録物を良好に保持できるように、被記録物の支持部材上で移動可能で、被記録物の装入方向に対して側方から被記録物に当接させられる案内部を備えたものがある。
【０００５】
下記特許文献１には、上記のような案内部を備えた被記録物案内装置についての記載がある。即ち、特許文献１の記載によると、支持部材である供給トレーと、案内部に相当するガイド部材との間に付勢部材を設け、ガイド部材の円滑な移動を実現できる。
【特許文献１】特開２００１−３０２０２８号公報
【発明の開示】
【発明が解決しようとする課題】
【０００６】
しかしながら、非定型被記録物の多くは、最も高い頻度で被記録物となる紙よりも剛性が高く、厚く、重い場合が多く、被記録物案内装置にはそれに対応した強度と剛性が求められる。その一方で、前述の通り、非定型被記録物用の被記録物案内装置は、不使用時には液体噴射装置に格納し得ることが好ましい。従って、記録物案内装置は、小型かつ軽量であることが好ましい。
【課題を解決するための手段】
【０００７】
上記課題を解決するために、本発明の第１の形態として、被記録物の搬送方向と直交する幅方向に延在して被記録物を支持する支持面と、支持面の裏面に幅方向と交差する方向に沿う部分を含んで形成された補強リブと、裏面において幅方向に延在し平坦な立ち上がり面を有して補強リブよりも高い被当接リブと、裏面において搬送方向について支持面の一端と被当接リブとの間に被当接リブと平行に形成され、補強リブよりも僅かに高く被当接リブよりも低く且つ平坦な先端面を有する案内リブとを一体に形成された支持部材と、支持部材の一端から支持部材の表面および裏面に沿って延在する把持部と、支持面の上で被記録物に側方から当接する案内部とを一体に備え、幅方向に移動可能な摺動部材と、支持部材の一端と一定の間隔を保ちつつ幅方向に延在し、摺動部材が幅方向に移動することを許しつつ、搬送方向に移動することを制止する規制部材と、摺動部材と共に幅方向に移動可能に装着され、且つ、支持部材の裏面において摺動部材の把持部と被当接リブとの間で伸張し、摺動部材を規制部材に向かって付勢する付勢部材とを備え、付勢部材の一端が、被当接リブの立ち上がり面および案内リブの先端面に接している被記録物案内装置が提供される。これにより、種々の幅の被記録物に対応できると同時に、寸法が小さく、格納しやすい被記録物案内装置が実現される。
【０００８】
また、実施形態のひとつとして、上記被記録物案内装置において、付勢部材が、一端を被当接リブおよび案内リブに摺動可能に当接し、他端を摺動部材に連結され、幅方向については摺動部材と共に移動し、搬送方向については摺動部材に対して移動可能な案内部と、支持面の裏面において、摺動部材から被当接リブに向かって案内部を押し付ける弾性部材とを含む請求項１に記載の被記録物案内装置が提供される。これにより、付勢部材による押圧を受けつつも摺動部材を円滑に摺動させることができると共に、摺動部材を摺動させたときに弾性部材が転倒することもなくなる。
【０００９】
更に、本発明の第２の形態として、被記録物の搬送方向と直交する幅方向に延在して被記録物を支持する支持面と、支持面の裏面に幅方向と交差する方向に沿う部分を含んで形成された補強リブと、裏面において幅方向に延在し平坦な立ち上がり面を有して補強リブよりも高い被当接リブと、裏面において搬送方向について支持面の一端と被当接リブとの間に被当接リブと平行に形成され、補強リブよりも僅かに高く被当接リブよりも低く且つ平坦な先端面を有する案内リブとを一体に形成された支持部材と、支持部材の一端から支持部材の表面および裏面に沿って延在する把持部と、支持面の上で被記録物に側方から当接する案内部とを一体に備え、幅方向に移動可能な摺動部材と、支持部材の一端と一定の間隔を保ちつつ幅方向に延在し、摺動部材が幅方向に移動することを許しつつ、搬送方向に移動することを制止する規制部材と、摺動部材と共に幅方向に移動可能に装着され、且つ、支持部材の裏面において摺動部材の把持部と被当接リブとの間で伸張し、摺動部材を規制部材に向かって付勢する付勢部材とを備え、付勢部材の一端が、被当接リブの立ち上がり面および案内リブの先端面に接している被記録物案内装置と、被記録物案内装置により案内された被記録物に対して液体を噴射する液体噴射ヘッドとを備えた液体噴射装置が提供される。これにより、一時的に非定型の被記録物を取り扱うことができる液体噴射装置が実現される。また、この液体噴射装置では、不使用時に被記録物案内装置を筐体内に格納できる。
【００１０】
また更に、本発明の第３の形態として、被記録物の搬送方向と直交する幅方向に延在して被記録物を支持する支持面と、支持面の裏面に幅方向と交差する方向に沿う部分を含んで形成された補強リブと、裏面において幅方向に延在し平坦な立ち上がり面を有して補強リブよりも高い被当接リブと、裏面において搬送方向について支持面の一端と被当接リブとの間に被当接リブと平行に形成され、補強リブよりも僅かに高く被当接リブよりも低く且つ平坦な先端面を有する案内リブとを一体に形成された支持部材と、支持部材の一端から支持部材の表面および裏面に沿って延在する把持部と、支持面の上で被記録物に側方から当接する案内部とを一体に備え、幅方向に移動可能な摺動部材と、支持部材の一端と一定の間隔を保ちつつ幅方向に延在し、摺動部材が幅方向に移動することを許しつつ、搬送方向に移動することを制止する規制部材と、摺動部材と共に幅方向に移動可能に装着され、且つ、支持部材の裏面において摺動部材の把持部と被当接リブとの間で伸張し、摺動部材を規制部材に向かって付勢する付勢部材とを備え、付勢部材の一端が、被当接リブの立ち上がり面および案内リブの先端面に接している被記録物案内装置と、被記録物案内装置により案内された被記録物に対してインクを噴射する記録ヘッドとを備えた記録装置が提供される。これにより、一時的に非定型の被記録物を取り扱うことができる記録装置が実現される。また、この記録装置では、不使用時に被記録物案内装置を筐体内に格納できる。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、被記録物案内装置を備えた液体噴射装置のひとつであるインクジェット式記録装置１０の外観を示す斜視図である。同図に示すように、このインクジェット式記録装置１０は、各構成要素を筐体１１０内に格納できるように形成されている。
【００１４】
即ち、筐体１１０の上面後方のカバー１２０の内部には定型の記録用紙を供給するための給送装置が格納されている。また、上面前方のカバー１３０内は、これを開くことにより被記録物の搬送経路にアクセスでき、また、記録用のインクカートリッジが可能になる。更に、前面下端のカバー１５０内には、印刷後に記録用紙を排出する排出装置が格納されている。また更に、カバー１５０の上方に位置するカバー１４０内には、この発明の対象となっている被記録物案内装置が格納されている。
【００１５】
図２は、上記のインクジェット式記録装置１０のいくつかのカバー１３０、１４０および１５０を開いた状態を示す斜視図である。なお、図１と共通の構成要素には同じ参照番号を付している。
【００１６】
同図に示すように、筐体１１０の上面のカバー１３０を開くと、保守穴１３２およびカートリッジ交換穴１３４が開口している。保守穴１３２は、被記録物の経路の上方に広く開いており、搬送不良等が生じた場合に筐体１１０内に手を入れて詰まった被記録物等を取り除くことができるように設けられている。一方、カートリッジ交換穴１３４は、記録動作をしていないときのキャリッジ１７０が停止しているホームポジションの上方に形成されており、ここを通じてキャリッジ１７０に搭載されたインクカートリッジを取り出しあるいは装荷できる。
【００１７】
なお、図２では、保守穴１３２の内部に、被記録物としてのディスク状の光記録媒体１６４が見えている。光記録媒体１６４は、矩形のディスクトレー１６２に装荷されて装入されている。
【００１８】
また、記録動作時のキャリッジ１７０は、インクジェット式記録装置１０の長手方向、即ち、図上で左右に往復移動して、被記録物の全幅にわたって走査できる。キャリッジ１７０の下面には、液体噴射ヘッドとしてインクを吐出する記録ヘッドが装着されており、下方に向かってインクを吐出して被記録物に記録を行う。
【００１９】
一方、筐体１１０の前面下部のカバー１５０は、このインクジェット式記録装置１０の排出トレーとして機能するように形成されている。即ち、カバー１２０の内部に実装されている給送装置から供給された定型の被記録物は、筐体１１０内を前方に向かって搬送され、最終的にカバー１５０の内面である排出トレーに排出される。
【００２０】
更に、前面上部のカバー１４０は、その下端に形成されたヒンジ１４２を軸として手前に開く。こうして開いた開口の内部には、非定型被記録物を装入するときに使用する被記録物案内装置である手差しトレー装置２００が格納されている。
【００２１】
手差しトレー装置２００は、その上面で被記録物を支持する支持部材２１０と、支持面２１４上で幅方向に摺動できる摺動部材２４０とを備えている。支持部材２１０の上面である支持面２１４に被記録物を載せて装入することにより、高さ方向の装入位置と装入角度とが規定される。また、摺動部材２４０を適宜移動させて被記録物の側方から当接させることにより、被記録物の幅方向の位置が規定される。
【００２２】
前記したディスクトレー１６２は、この手差しトレー装置２００から装入されている。装入されたディスクトレー１６２は、筐体１１０内に装備された搬送装置によりキャリッジ１７０の軌道の下方に搬送される。従って、ディスクトレー１６２の搬送とキャリッジ１７０の走査を交互に実施することにより、光記録媒体１６４に対する記録動作が実行される。記録動作終了後は、搬送装置が反転して、ディスクトレー１６２は手差しトレー装置２００に戻される。
【００２３】
なお、図中に示す矢印Ｃは、この手差しトレー装置２００に対する被記録物（ディスクトレー１６２）の装入方向である。以下の記述においては、被記録物の装入方向を「前進方向」とし、各部材における「前」あるいは「後」という記載はこの装入方向を示す矢印Ｃに対するものとする。また、手差しトレー装置２００の支持面２１４上で装入方向に直交する方向は「幅方向」と記載する。
【００２４】
図３は、上記カバー１４０付近の筐体１１０の構造を示す断面図である。同図に示すように、手差しトレー装置２００は、支持部材２１０の前端側部に形成されたヒンジ穴２１２において軸支されて自身が転動できるように装着されている。一方、カバー１４０も、その下端に形成されたヒンジ１４２を軸として、図中に矢印Ａで示すように開閉できる。
【００２５】
更に、カバー１４０の内側には、閉じた状態のカバー１４０の高さ方向に延在する引き出し部材１４４が固定されている。引き出し部材１４４の長手方向に形成された長穴には、支持部材２１０後端側部に形成されたピン２１３が填められている。
【００２６】
従って、何らかの方法でカバー１４０を開くと、カバー１４０と共に移動する引き出し部材１４４も筐体１１０外へと移動する。更に、ピン２１３が引き出し部材１４４に誘導されて筐体１１０外部に引き出される。
【００２７】
また、ピン２１３は、引き出し部材１４４の長穴内で摺動可能なので、引き出されるに連れて降下する。従って、最終的に、支持部材２１０が略水平になるまで引き出される。
【００２８】
図４は手差しトレー装置２００を後方斜め上から見た斜視図である。同図に示す通り、この手差しトレー装置２００は、搬送方向Ｃに直交する幅方向に延在する支持面２１４を形成する支持部材２１０と、支持面２１４上でその幅方向に摺動可能な摺動部材２４０と、支持部材２１０の前縁に略全幅にわたって装着された規制部材２２０とを含んで構成されている。
【００２９】
支持部材２１０の両端には、ヒンジ軸２１１およびヒンジ穴２１２並びにピン２１３がそれぞれ一体に形成されている。規制部材２２０は、自身の略全幅にわたって支持部材２１０の前縁と一定の間隔を保って配置されている。
【００３０】
また、摺動部材２４０において、支持面２１４に接する部分は、摺動部材２４０の幅方向の安定性を増すために、支持面２１４に沿って延長された延長部２４８が一体に形成されている。更に、摺動部材２４０は、支持部材２１０の後端に沿って延長された後側把持部２４５と、支持面２１４から上方に隆起した案内部２４２とを一体に備えている。なお、支持部材２１０の一端には、部材の厚さを減じた切欠き部２１５が形成されている。これにより、摺動部材２４０が端に寄せられた状態からでも側面を押しやすくなる。また、これにより、摺動部材２４０と他の部材との摩擦に対してバランスのよい位置で摺動部材２４０を押すようにユーザを誘導し、摺動部材２４０を円滑に摺動させることができる。
【００３１】
図５は、図４に示した手差しトレー装置２００を前方斜め下から見た斜視図である。なお、図４と共通の構成要素には同じ参照番号を付して重複する説明を省く。
【００３２】
同図に示す通り、支持部材２１０の裏面には、全面にわたって補強リブ２１６が形成されている。補強リブ２１６は、支持部材２１０の前後方向についても、幅方向についても、その強度を増すように形成されている。従って、補強リブ２１６の一部は、幅方向と交差する方向に延在している。
【００３３】
また、支持部材２１０裏面の前後方向についての略中央には、いずれの補強リブ２１６よりも高い被当接リブ２１８が、幅方向の略全幅にわたって形成されている。被当接リブ２１８の前方側面は平坦な立ち上がり面を形成している。更に、被当接リブ２１８の付け根の前側近傍には、補強リブ２１６よりも僅かに高い平坦な先端面を有する案内リブ２１９が、やはり幅方向の略全幅にわたって形成されている。
【００３４】
なお、支持部材２１０は、射出成形により、補強リブ２１６、被当接リブ２１８および案内リブ２１９と一体に形成されている。また、支持部材２１０裏面において、被当接リブ２１８の後方の領域は、補強カバー２３０により覆われている。
【００３５】
また、図５に示す通り、摺動部材２４０の前端は、支持部材２１０の前端と規制部材２２０との間を通って、支持部材２１０裏面まで延在している。従って、摺動部材２４０は、規制部材２２０に沿って幅方向に移動することはできるが、被記録物の搬送方向に対しては移動できない。
【００３６】
更に、支持部材２１０の裏面側には、後述する枠型部材２５０およびコイルバネ２６０が装着されている。即ち、摺動部材２４０の下端に連結された枠型部材２５０に対して、コイルバネ２６０は内側から一端を当接している。また、コイルバネ２６０の他端は、摺動部材２４０に当接している。なお、枠型部材２５０およびコイルバネ２６０を含む部分の詳細な構造については後述する。
【００３７】
図６および図７は、図４および図５に示した手差しトレー装置２００を、図４または図５と同じ視点から見た分解斜視図である。いずれの図においても、図４乃至図７で共通の構成要素には同じ参照符号を付し、重複する説明は省いている。
【００３８】
図６および図７に示す通り、摺動部材２４０は、支持部材２１０の支持面２１４上で起立して被記録物に側面から当接する案内部２４２と、支持面２１４上で前後方向に延在する案内部２４２から連続して支持部材２１０の後端に沿って延在する後側把持部２４５と、支持部材２１０の前端に沿った後裏面で再び前方に延在する前側把持部２４４とを一体に形成された部材である。この摺動部材２４０は、支持部材２１０に沿って、その幅方向に移動できる。なお、前側把持部２４４は、支持部材２１０の前端付近と略相補的なコ字型の断面形状を有し、更にその下端に、前側把持部２４４とは逆に前方に向かって開口した折り返し部２４６を備えている。
【００３９】
枠型部材２５０は、摺動部材２４０の折り返し部２４６の幅と略同じ内寸を有し、その先側を上記折り返し部２４６内に納められている。従って、摺動部材２４０が幅方向に移動したときは、摺動部材２４０に連れ従って枠型部材２５０も幅方向に移動する。但し、枠型部材２５０は、搬送方向Ｃに関しては摺動部材２４０に連結されておらず、この方向には摺動部材２４０に対して自由に移動できる。
【００４０】
支持部材２１０裏面の後ろ側を略全幅にわたって覆う補強カバー２３０は、幅方向の複数箇所で支持部材２１０に対してネジ止めされる。これにより、細長い形状を有する支持部材２１０が被記録物の重量のために撓みあるいは折損することを防止している。なお、支持部材２１０の裏面には、補強カバー２３０に隠れる領域でも、補強リブ２１６が形成されている。
【００４１】
図８は、図４乃至図７に示した手差しトレー装置２００を、摺動部材２４０の存在する位置で被記録物の装入方向に切った断面図である。この図においても、図４乃至図７で共通の構成要素には同じ参照符号を付し、重複する説明は省いている。
【００４２】
同図に示す通り、この手差しトレー装置２００では、枠型部材２５０とコイルバネ２６０とにより付勢部材２６５が形成されている。コイルバネ２６０は、枠型部材２５０の内面と折り返し部２４６の後ろ側との間に配置されている。また、コイルバネ２６０は、自身の長手方向の長さが伸張するように付勢されている。従って、枠型部材２５０は摺動部材２４０に対して後方に向かって付勢され、被当接リブ２１８の立ち上がり面に押し付けられる。
【００４３】
枠型部材２５０の後端は、支持部材２１０と一体の被当接リブ２１８の立ち上がり面に当接している。従って、結果的に、摺動部材２４０は支持部材２１０に対して前方に向かって付勢され、規制部材２２０に当接する。このとき、コイルバネ２６０は、枠型部材２５０と摺動部材２４０との間にあって、支持部材２１０側の部材には接触していない。従って、摺動部材２４０を被記録物の幅方向に移動させたときにコイルバネ２６０が転倒することはない。
【００４４】
一方、摺動部材２４０の前側把持部２４４の更に前方には、規制部材２２０が固定されており、摺動部材２４０の前側把持部２４４の前端面が規制部材２２０に押し付けられる。従って、摺動部材２４０が幅方向の何らかの力を受けた場合でも、規制部材２２０との摩擦により、摺動部材２４０の幅方向の位置が維持される。また、コイルバネ２６０を水平に配置しているので、手差しトレー装置２００全体の高さが増すことがない。
【００４５】
また、枠型部材２５０の後端上面は案内リブ２１９の先端面に接しており、枠型部材２５０の後端が上方に変移することが規制されている。前述の通り、案内リブ２１９は補強リブ２１６よりも高く形成されているので、枠型部材２５０が補強リブ２１６に触れることはない。これにより、枠型部材２５０が摺動部材２４０と共に幅方向に移動するときに、補強リブ２１６に断続的に触れて振動することがなくなる。
【００４６】
以上詳細に説明したように、この発明によれば、格納式の支持部材上で容易に摺動させて、異なる幅の被記録物を案内できる被記録物案内装置が提供される。また、この被記録物案内装置では、被記録物の側面に当接する摺動部材が、被記録物に押されて容易に動くことがない。従って、被記録物が傾いたりすることもない。
【００４７】
更に、この被記録物案内装置は、弾性部材を水平に配置するという独特の構造により、特に高さ方向の寸法が小さい。従って、不使用時には筐体内格納する手差しトレー装置として好適に使用できる。このような被記録物案内装置は、インクジェット式記録装置のような液体噴射装置の他、複写装置、ページプリンタ等、異なる幅の被記録物を取り扱う装置に好適に適用できる。
【００４８】
以上、実施の形態を参照して説明したが、本発明の技術的範囲は上記実施の形態に記載の範囲には限定されない。上記実施の形態に、多様な変更または改良を加え得ることは当業者に明らかである。その様な変更または改良を加えた形態も本発明の技術的範囲に含まれ得ることが、特許請求の範囲の記載から明らかである。
【図面の簡単な説明】
【００４９】
【図１】実施形態のひとつであるインクジェット式記録装置１０の外観を示す斜視図。
【図２】インクジェット式記録装置１０の一部のカバー１３０、１４０、１５０を開いた状態を示す斜視図。
【図３】筐体１１０内に格納された手差しトレー装置２００を示す部分断面図。
【図４】手差しトレー装置２００を前方斜め上方から見た斜視図。
【図５】手差しトレー装置２００を後方斜め下方から見た斜視図。
【図６】図４と同じ視点から見た手差しトレー装置２００の分解斜視図。
【図７】図５と同じ視点から見た手差しトレー装置２００の分解斜視図。
【図８】手差しトレー装置２００における搬送方向に沿った断面を示す断面図。
【符号の説明】
【００５０】
１０  インクジェット式記録装置、１１０  筐体、１２０、１３０、１４０、１５０  カバー、１３２  保守穴、１３４  カートリッジ交換穴、１４２  ヒンジ、１４４  引き出し部材、１６２  ディスクトレー、１６４  光記録媒体、１７０  キャリッジ、２００  手差しトレー装置、２１０  支持部材、２１１  ヒンジ軸、２１２  ヒンジ穴、２１３  ピン、２１４  支持面、２１６  補強リブ、２１８  被当接リブ、２１９  案内リブ、２２０  規制部材、２３０  補強カバー、２４０  摺動部材、２４２  案内部、２４４  前側把持部、２４５  後側把持部、２４６  折り返し部、２４８  延長部、２５０  枠型部材、２６０  コイルバネ、２６５  付勢部材
【図１】
2006273572.tif 000003
【図２】
2006273572.tif 000004
【図３】
2006273572.tif 000005
【図４】
2006273572.tif 000006
【図５】
2006273572.tif 000007
【図６】
2006273572.tif 000008
【図７】
2006273572.tif 000009
【図８】
2006273572.tif 000010